(57)【要約】【課題】略直方体形状の外観を備えストレート型の吸排気構造の構築により、過度の強度要求される箇所をなくすと共に上下方向に関して小型化が図られ、台風等の強風を伴う雨水の場合であっても内部への雨水の浸入をほぼ完全に防止するようにした防音エンクロージャの吸排気システムを提供することである。【解決手段】基礎となる台板１１上に設置された発電機３及び発電機を駆動するエンジン４を含む発電装置２を覆う防音エンクロージャ１の吸排気システムであって、防音エンクロージャ１は下方が開口した略直方体状に形成されていると共に、防音エンクロージャ１の前面部１Ｄに吸気口１９が形成され、背面部１Ｅに排気口２１が形成され、吸気口１９には縦型防音ガラリ２０が設けられ、排気口２１には横型防音ガラリ２２が設けられ、送風機１０により、外気がエンクロージャの前面部１Ｄから吸引され、背面部１Ｅから排気される。【選択図】  図５
2008144741.tif 000002
【特許請求の範囲】
【請求項１】
基礎となる台板上に設置された発電機及び発電機を駆動するエンジンを含む発電装置を覆う防音エンクロージャの吸排気システムであって、
前記防音エンクロージャは下方が開口した大略的に直方体状に形成されていると共に、防音エンクロージャの前面部に吸気口が形成され、エンクロージャの背面部に排気口が形成され、これら吸気口及び排気口には防音ガラリがそれぞれ設けられており、
エンクロージャ内に配置された送風機により、外気はエンクロージャの前面部から吸引され、背面部から排気されるように構成されたことを特徴とする防音エンクロージャの吸排気システム。
【請求項２】
前記吸気側防音ガラリ及び排気側防音ガラリのうち、少なくとも吸気側防音ガラリが縦型防音ガラリであることを特徴とする請求項１記載の防音エンクロージャの吸排気システム。
【請求項３】
前記排気側防音ガラリが横型防音ガラリであることを特徴とする請求項２記載の防音エンクロージャの吸排気システム。
【請求項４】
前記送風機の吸気側には消音器が取り付けられていることを特徴とする請求項２又は３記載の防音エンクロージャの吸排気システム。
【請求項５】
前記吸気側消音器は、丸型消音器であることを特徴とする請求項４記載の防音エンクロージャの吸排気システム。
【発明の詳細な説明】
【技術分野】
【０００１】
本発明は、発電装置の周囲を覆う防音エンクロージャの吸排気システムに関する。
【背景技術】
【０００２】
近年、大型の病院やショッピングセンタ等では、自家発電や非常用電源として、発電装置を設置することが行われている。このような発電装置は、屋外に設置される場合が多く、そのため、発電装置の防水対策が必要となる。また、発電装置の駆動時にはエンジン等の騒音が発生することから、防音対策が必要となる。そこで、発電装置を防音エンクロージャで覆い、防音のみならず防水の対策が施されている。
【０００３】
ところで、このような発電装置の防音エンクロージャでは、防音エンクロージャ内に送風機を設置し、この送風機により外気を吸気口から吸引してエンジンの冷却及び換気用のために使用し、防音エンクロージャ内の空気は排気口から外部に排出しているのが一般的である（例えば、特許文献１参照）。
このような防音エンクロージャにおける吸排気システムとしては、吸気口や排気口から雨水が防音エンクロージャ内に浸入するのを防止するために、吸気口や排気口にフードを設けている（例えば、特許文献１には吸気口にフードを設けた例が示されている）。
【０００４】
吸気口及び排気口にフードを設けた防音エンクロージャの典型例を図２２及び図２３に示す。この防音エンクロージャにおける吸排気システムとしては、前面側端部の上面に湾曲形状の吸気用フード５０を設け、背面側端部の上面に湾曲形状の排気用フード５１を設けている。そして、防音エンクロージャ内の前面寄りには、上方から下方に空気を吸引するように送風機５２が配置され、これにより、外気が吸気用フード５０の吸気口５３を介して取り込まれ、排気用フード５１の排気口５４から外部に排出されるようになっている。また、吸気用フード５０及び排気用フード５１にはスプリッタ型消音器５４が取り付けられており、防音エンクロージャ内で発生した騒音を消音するようになっている。
【０００５】
【特許文献１】特開２００４−３５３４６１号公報
【発明の開示】
【発明が解決しようとする課題】
【０００６】
しかしながら、上記従来例では、以下の課題が存在している。
（１）湾曲形状のフード５０，５１を防音エンクロージャの上面で支持する構造となっているため、支持部において大きな垂直荷重と横荷重が作用するので、それに耐えうる強度が支持部に要求されることになる。そのため、支持部を構成する部材としては、厚みの大きいものを使用することが必要となり、コスト高となっていた。また、湾曲形状のフード５０，５１の一部が防音エンクロージャの上面から上方に張り出した構造となっていることから、その張出部の分だけ防音エンクロージャは上下方向に大型化していた。
【０００７】
（２）従来の吸排気用フード５０，５１の開口は下に向いており、雨水の浸入を防止するようになっているが、台風等の強風を伴う雨水の場合には、エンクロージャ内に雨水が浸入していた。そのため、機器の故障等を招来する恐れがあった。
【０００８】
（３）さらに、上記フード５０，５１内にはスプリッタ型消音器５４が取り付けられているが、エンクロージャ内で発生した騒音を充分に消音できなかった。
【０００９】
本発明は、上記の実情を鑑みて考え出されたものであり、その目的は、略直方体形状の外観を備えストレート型の吸排気構造の構築により、過度の強度要求される箇所をなくすと共に上下方向に関して小型化が図られ、しかも、台風等の強風を伴う雨水の場合であってもエンクロージャ内への雨水の浸入をほぼ完全に防止するようにした防音エンクロージャの吸排気システムを提供することである。
【課題を解決するための手段】
【００１０】
上記目的を達成するために、本発明のうち請求項１記載の発明は、基礎となる台板上に設置された発電機及び発電機を駆動するエンジンを含む発電装置を覆う防音エンクロージャの吸排気システムであって、前記防音エンクロージャは下方が開口した大略的に直方体状に形成されていると共に、防音エンクロージャの前面部に吸気口が形成され、エンクロージャの背面部に排気口が形成され、これら吸気口及び排気口には防音ガラリがそれぞれ設けられており、エンクロージャ内に配置された送風機により、外気はエンクロージャの前面部から吸引され、背面部から排気されるように構成されたことを特徴とする。
【００１１】
上記の如く、防音エンクロージャを大略的に直方体状に形成すると共に、防音エンクロージャの前面部に吸気口が形成され、エンクロージャの背面部に排気口が形成されるように構成することにより、従来例のような張出部のないストレート型の吸排気システムが構築される。これにより、従来例のような過度の強度要求される箇所がなく、生産コストの低減が図れると共に、張出部の分だけ上下方向に関して小型化が図れる。
加えて、吸気口及び排気口に防音ガラリを設けることにより、雨水の浸入防止を図ることができると共に、防音エンクロージャ内で発生した騒音が外部に放散することを抑制することができる。
【００１２】
また、請求項２記載の発明は、請求項１記載の防音エンクロージャの吸排気システムであって、前記吸気側防音ガラリ及びは排気側防音ガラリのうち、少なくとも吸気側防音ガラリが縦型防音ガラリであることを特徴とする。
【００１３】
上記の如く、吸気側に縦型防音ガラリを設けることにより、台風等の強風を伴う雨の場合にも、エンクロージャ内に雨が浸入することを略完全に防止できる。
【００１４】
また、請求項３記載の発明は、請求項２記載の防音エンクロージャの吸排気システムであって、前記排気側防音ガラリが横型防音ガラリであることを特徴とする。
【００１５】
上記の如く、排気側に横型防音ガラリを設けることにより、排気側に縦型防音ガラリを設ける場合に比べて、コストの低減及び圧力損失の低減した吸排気システムを構築することができる。なぜなら、横型防音ガラリは縦型防音ガラリよりも安価であり、且つ、横型防音ガラリは縦型防音ガラリよりも圧力損失が少ないからである。
なお、参考までに述べると、横型防音ガラリは縦型防音ガラリよりも防水性が劣るので、台風等の強風を伴う雨の場合に、エンクロージャ内に雨が浸入する問題が生じるとも考えられる。しかしながら、横型防音ガラリが排気側に設けられるので、台風等の強風を伴う雨の場合であっても、エンクロージャ内に雨が浸入することは殆どないと考えられるので、特に問題は生じない。
【００１６】
また、請求項４記載の発明は、請求項２又は３記載の防音エンクロージャの吸排気システムであって、前記送風機の吸気側には消音器が取り付けられていることを特徴とする。
【００１７】
上記の如く、送風機の吸気側に消音器を取り付けことにより、該吸気側消音器と縦型防音ガラリとにより消音機能を果たすことになり、消音機能が向上する。なお、「消音器」は、丸型消音器であってもよくスプリッタ型消音器であってもよい。
ここで、「丸型消音器」とは、例えば、実施の形態における図１８に示すように、円筒状のケーシング内の中央部に内筒が挿入され、円筒状ケーシングは内部に吸音材が充填されると共にその内側面は多数の吸音孔を有する多孔板で構成され、内筒は内部に吸音材が充填されると共にその外周面は多数の吸音孔を有する多孔板で構成され、円筒状ケーシング内側面と内筒外周面との間を騒音が通過すると、騒音が吸音孔を介して吸音材に伝播されて吸音されるように構成されたものをいう。
また、「スプリッタ型消音器」とは、例えば、実施の形態における図１９に示すように、角筒状のケーシングの一対の内壁に表面が多数の吸音孔を有する多孔板で覆われ内部に吸音材が充填された一対の側部吸音体が設けられると共に、両側表面が多数の吸音孔を有する多孔板で覆われ内部に吸音材が充填された中間部吸音体が一対の側部吸音体間に配置され、一方の側部吸音体と中間部吸音体との間、及び、他方の側部吸音体と中間部吸音体との間を騒音が通過すると、騒音が吸音孔を介して吸音材に伝播されて吸音されるように構成されたものをいう。
【００１８】
また、請求項５記載の発明は、請求項４記載の防音エンクロージャの吸排気システムであって、前記吸気側消音器は丸型消音器であることを特徴とする。
【００１９】
上記構成により、防音エンクロージャ内で発生する騒音を、その低周波音域から高周波音域まで広い周波数帯域で効率よく減音することができる。なぜなら、丸型消音器と縦型防音ガラリとは本来的に減音性能特性が異なり、この減音性能特性の異なる丸型消音器と縦型防音ガラリとを組み合わせることにより、発電装置から発生する所定帯域の騒音を効率よく消音することが可能となるからである。
【発明の効果】
【００２０】
本発明によれば、従来例のような張出部のないストレート型の吸排気システムが構築される。これにより、従来例のような過度の強度要求される箇所がなく、生産コストの低減が図れると共に、張出部の分だけ上下方向に関して小型化が図れる。加えて、吸気口及び排気口に防音ガラリを設けることにより、雨水の浸入防止を図ることができると共に、防音エンクロージャ内で発生した騒音が外部に放散することを抑制することができる。
【発明を実施するための最良の形態】
【００２１】
以下、本発明を実施の形態に基づいて詳述する。なお、本発明は、以下の実施の形態に限定されるものではない。
【００２２】
（実施の形態）
図１は実施の形態に係る防音エンクロージャの斜め前方から見た斜視図、図２は実施の形態に係る防音エンクロージャの斜め後方から見た斜視図、図３は実施の形態に係る防音エンクロージャの正面図、図４は実施の形態に係る防音エンクロージャの背面図、図５は実施の形態に係る防音エンクロージャの横断面図、図６は実施の形態に係る防音エンクロージャの縦断面図、図７は図６のＡ−Ａ線矢視断面図、図８は図６のＢ−Ｂ線矢視断面図である。
【００２３】
本実施の形態に係る防音エンクロージャ１は、発電装置２（図５及び図６参照）の周囲を覆って防音及び防水の役割を果たしている。発電装置２は、発電機３と、該発電機３を駆動するエンジン４とから成る（図５及び図６参照）。なお、エンジン４はレシプロエンジンであってもよく、また、ロータリエンジンであってもよい。また、図５及び図６に示すように、防音エンクロージャ１内には、その他の付属機器、例えば、燃料ガス昇圧機５、熱回収及び空気ユニット６、冷却水及び暖気ユニット７、潤滑油供給ユニット８、配管ブロック９等が備えられている。これらの機器の役割を簡単説明すると、燃料ガス昇圧機５は防音エンクロージャ１外より供給される燃料ガスをエンジン内（シリンダ内）に送り込むために圧力を上げる機器である。熱回収及び空気ユニット６は、エンジン冷却水、潤滑油を冷却し、その熱を回収するユニットである。冷却水及び暖気ユニット７は、冷却水をエンジンに供給するユニットである。潤滑油供給ユニット８は、エンジン潤滑油をエンジンに供給するユニットである。配管ブロック９は、エンジン本体と補機（上記機器）ユニットを接続するための配管をユニット化したものである。更に、防音エンクロージャ１内には、エンジンの燃焼用空気もしくは冷却用空気を外部から取り込むための複数（本実施の形態では６個、図５及び図６参照）の送風機１０が設置されている。
【００２４】
防音エンクロージャ１は、図１及び図２に示すように、下方が開口した大略的に直方体状に形成されている。この防音エンクロージャ１は、基礎となるコンクリート製の台板１１（図５及び図７参照）上に設置された発電装置２及び付属機器（燃料ガス昇圧機５、熱回収及び空気ユニット６等）の周囲を囲むコンクリート製の腰壁１２上に設置されている。防音エンクロージャ１は、屋根部１Ａと一対の側壁部１Ｂ，１Ｃと前面部１Ｄと背面部１Ｅとから構成されている。屋根部１Ａは複数の屋根パネル１５が連接して敷設されて構成され、一対の側壁部１Ｂ，１Ｂは複数の壁パネル１６が連接して敷設されて構成されている。屋根パネル１５は、図９に示すように、外部側を通常鋼板等のソリッドな板材され、内部側を多数の微小な吸音孔１７を有する多孔板とされ、且つ、その内部にグラスウール等の吸音材１８が充填されている。壁パネル１６も屋根パネル１５と同様の構成を有しており、図１０に示すように、外部側を通常鋼板等のソリッドな板材され、内部側を多数の微小な吸音孔１７を有する多孔板とされ、且つ、その内部にグラスウール等の吸音材１８が充填されている。屋根パネル１５及び壁パネル１６が上記構造を有することにより、防音エンクロージャ１内の騒音が吸音孔１７から吸音材１８に伝播して吸音されるようになっている。
【００２５】
また、防音エンクロージャ１の前面部１Ｄには、図５に示すように、壁パネル１６が敷設されておらず、開口を有する構造とされ、該開口が吸気口１９を構成する。そして、この吸気口１９に複数の縦型防音ガラリ２０が装着されている。本実施の形態では、縦型防音ガラリ２０は、上下２段組となって装着されている（図３参照）。また、同様に、防音エンクロージャ１の背面部１Ｅには、図５に示すように、壁パネル１６が敷設されておらず、開口を有する構造とされ、該開口が排気口２１を構成する。そして、この排気口２１に横型防音ガラリ２２が装着されている。本実施の形態では、横型防音ガラリ２２は上下２段組が左右に４組装着されている（図４参照）。このように本発明に係る防音エンクロージャ１は、外観が直方体形状とされると共に、前面部１Ｄに吸気口１９を、背面部１Ｅに排気口２１を備え、送風機１０により外気を前面部１Ｄから吸引して、背面部１Ｅから排出するように構成することにより、ストレート型の吸排気システムが構築されている。そのため、従来例のような過度の強度要求される箇所がない構造が実現され、生産コストの低減が図れる。また、従来例では防音エンクロージャの上面から上方に張り出した構造となっていることから上下方向に大型化していたが、本発明に係る防音エンクロージャ１は大略的に直方体状であって上方への張り出部がない構造のため、従来例に比べて上下方向に関して小型化が図れる。
【００２６】
また、防音エンクロージャ１の内部は、図５及び図６に示すように、仕切板２５により送風機１０が収納される送風機収納室２６と、発電装置２が収納される発電装置収納室２７とに仕切られている。送風機収納室２６内には、複数の送風機１０が配設されており、各送風機１０の排気ダクト２８は仕切板２５を挿通して発電装置収納室２７に臨んでいる。排気ダクト２８の開口端にはチャッキダンパー２９（図８参照）が設けられている。そして、複数の送風機１０のうち１の送風機１０の排気ダクト２８は仕切板２５を挿通して発電装置２のエンジン近傍まで延びている。これら送風機１０の吸気ダクトには、吸気用消音器３０が設けられている。この吸気用消音器３０と縦型防音ガラリ２０とにより、仕切板２５を介して伝播される発電装置２の駆動により発生する騒音及び送風機１０の駆動により発生する騒音を消音し、吸気口１９から外部に騒音が放散されることを抑制している。
【００２７】
一方、発電装置収納室２７内には、発電装置２や付属機器の他に、排気用消音器３１が配設されている。この排気用消音器３１は、横型防音ガラリ２２の手前側（図５の右側）に配置されている。この排気用消音器３１と横型防音ガラリ２２とにより、発電装置２の駆動により発生する騒音を消音し、排気口２１から外部に騒音が放散されることを抑制している。
【００２８】
次いで、２つの防音ガラリ２０，２２と２つの消音器３０，３１の構造を以下に詳述する。
先ず、縦型防音ガラリ２０の構造について説明する。図１１は縦型防音ガラリ２０の縦断面図、図１２は縦型防音ガラリ２０の横断面図、図１３は縦型防音ガラリ２０の正面図である。
縦型防音ガラリ２０は、枠部材３２、枠部材３２内に配設された外側吸音体３３及び内側吸音体３４等で構成されている。外側吸音体３３は、屋外のＹ１方向に凸状になった外側凸面部３３ａ、これと同じ形状の外側凹面部３３ｂ、これらの外側結合部３３ｃ、これらの各部３３ａ、３３ｂ、３３ｃで囲われた部分に入れられた吸音材１８とを備えている。外側凸面部３３ａ及び外側結合部３３ｃは、吸音材１８のある内部に雨水が入らないように通常鋼板等のソリッドな板材にされる。内側凸面部３３ｂは、ほとんど雨水が入ることがないので、吸音性が良いように微小な吸音孔１７を有する多孔板とされる。
【００２９】
内側吸音体３４は、外側吸音体３３と同じ形状でこれを反転させＹ方向に間隔を空けてＸ方向に半ピッチずらせて配置されていて、外側凸面部３３ａ等の各部に対応する内側凸面部３４ａと内側凹面部３４ｂと内側結合部３４ｃと吸音材１８とを備えている。そして、内側凹面部３４ｂのＸ方向の両端位置には、屋外から入って来ることがある雨水を停止可能なように水切部３５が設けられている。この水切部３５は、本例では、内側結合部３４ｃをＹ１方向に延長した延長部分の形状に形成されている。このような水切部３５は、ソリッド鋼板製の内側凹面部３４ｂを内側結合部３４ｃの延長方向に折り曲げることにより容易に形成される。
【００３０】
図１４は上記構成の縦型防音ガラリ２０の作用を説明するための図である。図１２をも参照して、以下に縦型防音ガラリ２０の作用について説明する。
外部から内部に空気が取り入れられるときには、隣接する外側凸面部３３ａの横間隔の部分が空気の入口通路３６になるので、空気の流れ方向を矢印で示すように、空気はＸ方向の全体から均一的に且つ円滑に入口通路に流入する。このとき屋外で雨が降っていると、雨水は、外側凸面部３３ａに当たってこれに付着すると共に、空気に随伴されて入口通路３６から縦型防音ガラリ２０の中に入ってくる。
【００３１】
外側吸音体３３の横間隔部分を通過した空気は、内側吸音体３４の内側凹面部３４ｃの中心部分に当たるようにＹ方向に進み、Ｙ方向に離れた外側凹面部３３ｂと内側凹面部３４ｂとに案内されこれらの間の縦間隔部分を流れる。これらの内外凹面部３３ｂ，３４ｂ及び縦間隔部分は、Ｘ方向の両側に対称でその中心部分からＹ方向の反対の屋内から屋外側に戻る方向であるＹ１方向に向いている。このような横間隔部分から縦間隔部分に入る空気流れにより、空気に随伴された雨水は、Ｙ方向の速度成分によって直線的に内側凹面部３４ｂに当たったり、空気流れによって曲げられて内側凹面部３４ｂに当たる。又、外側凸面部３３ａに当たった雨水のうち下方に落下せず空気流れによって外側結合部３３ｃを伝ってＹ方向に移動した雨水は、外側結合部３３ｃから飛ばされて空気に随伴されて横間隔部分を通過した雨水と同様に内側凹面部３４ｂに当たる。
【００３２】
この場合、上記の如く内側凹面部３４ｂがＹ１方向に戻り傾斜を持つため、侵入した雨水はほぼ確実に内側凹面部３４ｂに当たってそれに付着する。そして、このようにいろいろの経路から内側凹面部３４ｂに当たった雨水の大部分は、内側凹面部３４ｂの表面に沿う方向の速度成分を有しないと共に、曲げられた空気の搬送力もそれほど受けないので、内側凹面部３４ｂを伝って横方向に移動することなく下方に落下する。
【００３３】
雨水のうち小径のもの等の一部分は、空気の搬送力によって内側凹面部３４ｂの中心部分からかなり離れた位置まで飛ばされて内側凹面部３４ｂに当たる。そして更に、この雨水は空気による搬送力を受けて内側凹面部３４ｂを伝って横方向に移動する可能性があるが、内側凹面部３４ｂがＹ１方向に傾斜していると共に、移動に対して内側凹面部３４ｂの壁面から粘性摩擦抵抗を受けるため、内側凹面部３４ｂの壁面をＸ方向へ移動する雨水の移動力は十分小さいものである。
【００３４】
このように一部分の雨水が内側凹面部３４ｂに当たって落下することなくＸ方向の両端まで移動する可能性に対して、内側凹面部３４ｂのＸ方向の両端位置に、外から入って来ることがある雨水を停止可能な水切部３５を設けているので、このような雨水の移動を停止させ、その位置から更にＸ方向に移動させて空気流れの中に再飛散させることなく、下方に落下させることができる。その結果、更に内側吸音部体３４の横間隔部分を通過する雨水がなくなり、屋内への雨水の侵入をほぼ完全に防止することができる。
【００３５】
一方、空気は、前記の如く外側凸面部３３ａから横間隔部分（入口通路３６）を通過してＸ方向に分流して内外吸音体３３，３４の縦間隔部分を通り、中心部分で合流して内側吸音体３４の横間隔部分に流れ、直接屋内に流出すると共に、内側凸面部３４ａの方向に曲がりつつ屋内に流出し、全体として均一的に且つ偏流することなく流出する。そして、内外吸音体３３，３４が吸音材１８を備えているので、このような空気流れを介して、主として屋内で発生した騒音は、吸音体１８に吸収されると共に屋内側に反射される。その結果、屋外側に放散される騒音量を十分低減させることができる。
【００３６】
このように、縦型防音ガラリ２０は、通常の通気口ガラリの機能に加えて、遮音機能をも併せ持っている。加えて、横型ガラリ２２と比べて、防水機能が高く、台風等の雨を伴う強風の場合であっても、確実に雨を遮蔽し、防音エンクロージャ１の内部に雨が浸入することを防止することができる。これにより、発電装置２等の機器の故障等を確実に防止することができる。
【００３７】
次いで、横型防音ガラリ２２の構造を詳述する。図１５は横型防音ガラリの縦断面図、図１６は横型防音ガラリに備えられるガラリ羽根の断面図、図１７はガラリ羽根の正面図である。横型防音ガラリ２２は、ガラリ枠４０とガラリ枠４０に支持される上下方向に配列された複数のガラリ羽根４１とから構成されている。ガラリ羽根４１は、断面が楕円形の金属製の筒状体４１ａと、筒状体４１ａの左右両端をそれぞれ封止する金属製の横蓋４１ｂとからなる。筒状体４１ａの内部には、グラスウール等の吸音材１８が充填されている。筒状体４１ａの背面部には多数の微小な吸音孔１７が形成されている。そして、筒状体４１ａの背面部が屋内側に向くようにガラリ枠４０に取付けられている。
防音エンクロージャ１内の空気が排気口２１を通過する際に、空気が伝達する音が多数の孔１７から筒状体４１ａの内部に進行し、筒状体４１ａの内部の吸音材１８によって吸音される。このように、横型防音ガラリ２２は、通常の通気口ガラリの機能に加えて、遮音機能をも併せ持っている。なお、横型防音ガラリ２２は、縦型防音ガラリ２０に比べると、防水性能は劣るが、排気口側に設けてあるので、雨水が殆ど浸入することはない。
【００３８】
次いで、吸気用消音器３０の構造について説明する。図１８は吸気用消音器の横断面図である。吸気用消音器３０は丸型消音器であって、円筒状のケーシング３０ａ内の中央部に内筒３０ｂが挿入されている。円筒状ケーシング３０ａは左右両端面が閉止され、内部にグラスウール等の吸音材１８が充填されると共にその内側面３０ａ１は多数の吸音孔１７を有する多孔板で構成されている。内筒３０ｂは、内部にグラスウール等の吸音材１８が充填されると共にその外周面３０ｂ１は多数の吸音孔１７を有する多孔板で構成されている。なお、内筒３０ｂの左蓋３０ｃは平坦面されており、内筒の右蓋３０ｄは右方に突出して円錐状に曲成されている。このような構成により、円筒状ケーシング内側面３０ａ１と内筒外周面３０ｂ１との間を騒音が通過すると、騒音が吸音孔１７を介して吸音材１８に伝播されて吸音される。
【００３９】
次いで、排気用消音器３１の構造について説明する。図１９は排気用消音器の横断面図である。排気用消音器３１は、スプリッタ型消音器であって、角筒状のケーシング３１ａの一対の内壁に、表面が多数の吸音孔１７を有する多孔板３１ｂで覆われ内部にグラスウール等の吸音材１８が充填された一対の側部吸音体３１ｃ，３１ｄが設けられると共に、両側表面が多数の吸音孔１７を有する多孔板３１ｅで覆われ内部にグラスウール等の吸音材１８が充填された中間部吸音体３１ｆが一対の側部吸音体３１ｃ，３１ｄ間に配置されて構成されている。このような構成により、一方の側部吸音体３１ｃと中間部吸音体３１ｆとの間、及び、他方の側部吸音体３１ｄと中間部吸音体３１ｆとの間を騒音が通過すると、騒音が吸音孔１７を介して吸音材１８に伝播されて吸音される。
【００４０】
ところで、吸気用消音器３０と縦型防音ガラリ２０とは、消音機能を有する点においては共通するが、その減音特性が異なる。また、排気用消音器３１と横型防音ガラリ２２とは、消音機能を有する点においては共通するが、その減音特性が異なる。このような、減音特性の異なる消音機器と防音ガラリを用いることにより、防音エンクロージャ内で発生する騒音（特にエンジン駆動により生じる騒音）を効果的に減音することが可能となっている。以下に詳述する。
【００４１】
本件発明者は吸気用消音器３０と縦型防音ガラリ２０を使用した本実施の形態の減音性能を測定したので、その結果を図２０に示す。図２０において、縦型防音ガラリ２０の減音性能は、ラインＭ１で示されるように略１．５［ＫＨｚ］以上の高周波音域で良好な減音性能を有している。また、吸気用消音器３０の減音性能は、ラインＭ２で示されるように、略１．０［ＫＨｚ］以下の低周波音域で良好な減音性能を有している。そして、吸気用消音器３０と縦型防音ガラリ２０とを同時に使用した場合は、ラインＭ３で示される減音性能が得られる。このラインＭ３の減音性能は、防音エンクロージャ１内で発生する騒音レベルを示すラインＭ４と相似した形状となっていることが認められる。このことは、防音エンクロージャ１内で発生する騒音について、低周波音域から高周波音域に亘る広い帯域について均一に減音することが可能であることを意味する。
【００４２】
つまり、吸気用消音器３０のみを使用する場合には、騒音の低周波音域は充分に減音できるが、高周波音域が充分に減音されない。一方、縦型防音ガラリ２０のみを使用する場合は、騒音の低周波音域が充分に減音されないが、高周波音域は充分に減音される。このように、吸気用消音器３０と縦型防音ガラリ２２とをそれぞれ単独で使用した場合は、騒音の全ての周波数帯域について減音できないという問題がある。一方、両者を同時に使用する場合は、その両者の加算した減音性能が、騒音の低周波音域から高周波音域に至る音圧レベルと相似に近い形状が得られる。そうすると、ラインＭ５に示す屋外予想騒音値としては、全ての帯域で騒音レベルが略一定値に減音されることになる。このようにして、吸気用消音器３０と縦型防音ガラリ２０とを同時使用することにより、騒音を効果的に減音することが可能となる。
【００４３】
尚、参考までに、横型防音ガラリ２２と排気用消音器３１とを使用した場合の減音性能を図２１に示す。横型防音ガラリ２２の減音性能は、ラインＭ６に示すように、どの周波数帯域においても略均一な減音性能を有する。一方、排気用消音器３１は、ラインＭ７に示すように、１［ＫＨｚ］付近にピーク値を持ち、当該ピーク値から両側帯域に向けて大きく低下する減音性能を有する。従って、両者の減音性能を加算したラインＭ８に示す減音性能は、ラインＭ７と相似に近い形状が得られる。一方、このラインＭ８に示す減音性能と、騒音レベルを示すラインＭ９とを比較すると、相似した形状とはなっていないことが認められる。従って、ラインＭ１０に示す屋外予想騒音値としては、１［ＫＨｚ］〜２［ＫＨｚ］付近で騒音レベルが６０［ｄＢ］よりも低くて良好であるが、１［ＫＨｚ］以下の低周波音域や２［ＫＨｚ］以上の高周波音域では７０［ｄＢ］程度となって充分な減音ができないことが認められる。従って、横型防音ガラリ２２と排気用消音器３１とを同時使用しても、縦型防音ガラリ２０と吸気用消音器３０の同時使用のような効果は得られないことが分かる。この検討結果によれば、複数種類の防音ガラリと複数種類の消音器ととを組み合わせて同時使用する際、縦型消音ガラリ２０と吸気用消音器３０の組み合わせが良好な減音を図るために最も効果的であることが理解される。
【００４４】
（その他の事項）
（１）上記実施の形態では、防音エンクロージャの吸気口に縦型防音ガラリを設け、排気口に横型防音ガラリを設けたけれども、本発明はこれに限定されず、吸気口及び排気口共に縦型防音ガラリを設けるようにしてもよく、また吸気口及び排気口共に横型防音ガラリを設けるようにしてもよく、また吸気口に横型防音ガラリを排気口に縦型防音ガラリを設けるようにしてもよい。但し、縦型防音ガラリは横型防音ガラリに比べて、高価であるため、製造コストの低減の観点からは一方のみを縦型ガラリとするのが好ましい。このような場合、雨水の浸入の防止の観点から吸気側に縦型防音ガラリを設けるのが好ましい。一方、縦型防音ガラリは横型防音ガラリに比べて、圧力損失が大きいため、外気の吸排気効率の観点からは一方のみを横型ガラリとするのが好ましい。このような場合、雨水の浸入の防止の観点から排気側に横型防音ガラリを設けるのが好ましい。なぜなら、横型防音ガラリは縦型防音ガラリよりも防水性が劣るので、台風等の強風を伴う雨の場合に、エンクロージャ内に雨が浸入する問題が生じるとも考えられる。しかしながら、横型防音ガラリが排気側に設けられるので、台風等の強風を伴う雨の場合であっても、エンクロージャ内に雨が浸入することは殆どないと考えられるので、特に問題は生じないからである。
（２）上記実施の形態では、吸気用消音器３０は丸型消音器であったけれども、スプリッタ型消音器であってもよい。また、上記実施の形態では、排気用消音器３１はスプリッタ型消音器であったけれども、丸型消音器であってもよい。
【産業上の利用可能性】
【００４５】
本発明は、発電装置の防音エンクロージャに好適に実施することができる。
【図面の簡単な説明】
【００４６】
【図１】実施の形態に係る防音エンクロージャの斜め前方から見た斜視図。
【図２】実施の形態に係る防音エンクロージャの斜め後方から見た斜視図。
【図３】実施の形態に係る防音エンクロージャの正面図。
【図４】実施の形態に係る防音エンクロージャの背面図。
【図５】実施の形態に係る防音エンクロージャの横断面図。
【図６】実施の形態に係る防音エンクロージャの縦断面図。
【図７】図６のＡ−Ａ線矢視断面図。
【図８】図６のＢ−Ｂ線矢視断面図。
【図９】屋根パネルの断面図。
【図１０】壁パネルの断面図。
【図１１】縦型防音ガラリの縦断面図。
【図１２】縦型防音ガラリの横断面図。
【図１３】縦型防音ガラリの正面図。
【図１４】縦型防音ガラリの動作を説明するための図。
【図１５】横型防音ガラリの縦断面図。
【図１６】横型防音ガラリに備えられるガラリ羽根の断面図。
【図１７】ガラリ羽根の正面図。
【図１８】吸気用消音器の横断面図。
【図１９】排気用消音器の横断面図。
【図２０】吸気用消音器、縦型防音ガラリ各々単独使用した場合、吸気用消音器と縦型防音ガラリを同時使用した場合等の減音性能を示すグラフ。
【図２１】排気用消音器、横型防音ガラリ各々単独使用した場合、排気用消音器と横型防音ガラリを同時使用した場合等の減音性能を示すグラフ。
【図２２】従来例の縦断面図。
【図２３】従来例の平面図。
【符号の説明】
【００４７】
１：防音エンクロージャ
１Ａ：屋根部
１Ｂ，１Ｃ：側壁部
１Ｄ：前面部
１Ｅ：背面部
２：発電装置
３：発電機
４：エンジン
１０：送風機
１１：台板
１２：腰壁
１５：屋根パネル
１６：壁パネル
１９：吸気口
２０：縦型防音ガラリ
２１：排気口
２２：横型防音ガラリ
３０：吸気用消音器
３１：排気用消音器
【図１】
2008144741.tif 000003
【図２】
2008144741.tif 000004
【図３】
2008144741.tif 000005
【図４】
2008144741.tif 000006
【図５】
2008144741.tif 000007
【図６】
2008144741.tif 000008
【図７】
2008144741.tif 000009
【図８】
2008144741.tif 000010
【図９】
2008144741.tif 000011
【図１０】
2008144741.tif 000012
【図１１】
2008144741.tif 000013
【図１２】
2008144741.tif 000014
【図１３】
2008144741.tif 000015
【図１４】
2008144741.tif 000016
【図１５】
2008144741.tif 000017
【図１６】
2008144741.tif 000018
【図１７】
2008144741.tif 000019
【図１８】
2008144741.tif 000020
【図１９】
2008144741.tif 000021
【図２０】
2008144741.tif 000022
【図２１】
2008144741.tif 000023
【図２２】
2008144741.tif 000024
【図２３】
2008144741.tif 000025